(57)【要約】【課題】見栄えを良くしながら安全性に優れた観賞魚水槽用コンセント装置を提供する。【解決手段】観賞魚を入れる水槽４に隣接して配置される箱体１０と、前記箱体１０内に配置され、プラグの栓刃が斜め上向きに挿し込まれるように栓刃挿入孔１４ａが斜め下向きに開口するように配置されたコンセント１４とを備える。【選択図】図５
2012034639.tif 000002
【特許請求の範囲】
【請求項１】
観賞魚を入れる水槽に隣接して配置される箱体と、
前記箱体内に配置され、プラグの栓刃が斜め上向きに挿し込まれるように栓刃挿入孔が斜め下向きに開口するように配置されたコンセントとを備えた、観賞魚水槽用コンセント装置。
【請求項２】
前記箱体内には、前記コンセントの上方を覆う庇部が形成された請求項１に記載の観賞魚水槽用コンセント装置。
【請求項３】
水槽の上方にせり出すように形成され、前記箱体の上部に連結する照明手段をさらに備え、
前記照明手段は、先端に照明手段用プラグが接続された照明手段用コードが接続され、
前記照明手段用プラグは、前記コンセントに電気的に接続される、請求項１または２に記載の観賞魚水槽用コンセント装置。
【請求項４】
前記箱体内に収納され、水槽の水を濾過する濾過手段をさらに備え、
前記濾過手段は、先端に濾過手段用プラグが接続された濾過手段用コードが接続され、
前記濾過手段用プラグは、前記コンセントと電気的に接続される、請求項１〜３に記載の観賞魚水槽用コンセント装置。
【請求項５】
水槽と、
前記水槽に隣接配置される請求項１〜４に記載の観賞魚水槽用コンセント装置とを備える水槽装置。
【発明の詳細な説明】
【技術分野】
【０００１】
本発明は、観賞魚水槽用コンセント装置および前記観賞魚水槽用コンセント装置を備えた水槽装置に関する。
【背景技術】
【０００２】
従来、照明装置、濾過器、ヒーター、ファン、エアポンプ等の観賞魚水槽用付属器具に電力を供給するため、水槽に隣接して配置され、外壁にコンセントが設けられた観賞魚用水槽用付属器具が開示されている（特許文献１参照）。
【先行技術文献】
【特許文献】
【０００３】
【特許文献１】実用新案登録第３０８８７５０号
【発明の概要】
【発明が解決しようとする課題】
【０００４】
しかしながら、この装置は、プラグの栓刃が挿入される栓刃挿入孔が水平方向に開口するようにコンセントが配置されているため、コードが緊張状態になるようにプラグをコンセントに挿し込むと、水がコードを伝って栓刃挿入孔内に浸入し、漏電や感電が生じるおそれがあった。
【０００５】
また、この装置は、コンセントが装置の外壁に配置されているため、プラグをコンセントに挿し込むと、プラグや該プラグに接続されたコードが露出し、見栄えも良くないばかりか、露出したコードを引っ掛けるおそれがあった。
【０００６】
本発明は、上述した事情に鑑みてなされたものであり、その目的は、見栄えを良くしながら安全性に優れた観賞魚水槽用コンセント装置を提供することにある。
【課題を解決するための手段】
【０００７】
［１］観賞魚を入れる水槽に隣接して配置される箱体と、前記箱体内に配置され、プラグの栓刃が斜め上向きに挿し込まれるように栓刃挿入孔が斜め下向きに開口するように配置されたコンセントとを備えた、観賞魚水槽用コンセント装置。
【０００８】
［２］前記箱体内には、前記コンセントの上方を覆う庇部が形成された前項１に記載の観賞魚水槽用コンセント装置。
【０００９】
［３］水槽の上方にせり出すように形成され、前記箱体の上部に連結する照明手段をさらに備え、前記照明手段は、先端に照明手段用プラグが接続された照明手段用コードが接続され、前記照明手段用プラグは、前記コンセントに電気的に接続される、前項１または２に記載の観賞魚水槽用コンセント装置。
【００１０】
［４］前記箱体内に収納され、水槽の水を濾過する濾過手段をさらに備え、前記濾過手段は、先端に濾過手段用プラグが接続された濾過手段用コードが接続され、前記濾過手段用プラグは、前記コンセントと電気的に接続される、前項１〜３に記載の観賞魚水槽用コンセント装置。
【００１１】
［５］水槽と、前記水槽に隣接配置される前項１〜４に記載の観賞魚水槽用コンセント装置とを備える水槽装置。
【発明の効果】
【００１２】
前項［１］の発明によると、プラグの栓刃が斜め上向きに挿し込まれるように栓刃挿入孔が斜め下向きに開口するようにコンセントを配置したため、プラグをコンセントに挿し込むと、該プラグに接続されたコードが下方に湾曲するように垂れ下がった状態でプラグがコンセントに挿し込まれるため、水がコードを伝って栓刃挿入孔内に侵入することがなく、漏電や感電を防止することができる。また、コンセントを箱体内に配置したため、照明装置、濾過器、ヒーター、ファン、エアポンプ等の観賞魚水槽用付属器具のプラグをコンセントに挿し込み、各プラグに接続されたコードを箱体内に収納することで、外部から視認した際に見栄えを良くできるとともに、コードが露出しないため、不本意にコードを引っ掛けるのを防止することができる。
【００１３】
前項［２］の発明によると、前記コンセントの上方を覆う庇部を箱体内に形成したため、仮に濾過手段等から水が漏れた際に、漏れた水が上方からのコンセント内に侵入するのを防止でき、ひいては、より確実に漏電や感電を防止することができる。
【００１４】
前項［３］の発明によると、照明手段用プラグをコンセントに電気的に接続したため、上述した観賞魚水槽コンセント装置の効果を奏しながら、照明手段用コードを箱体内に収納でき、外部から視認した際に見栄えを良くすることができるとともに、照明手段用プラグおよび照明手段用コードが露出しないため、不本意に照明手段用プラグや照明手段用コードを引っ掛けるのを防止することもできる。
【００１５】
前項［４］の発明によると、濾過手段用プラグをコンセントと電気的に接続したため、上述した観賞魚水槽コンセント装置の効果を奏しながら、濾過手段用コードを箱体内に収納でき、外部から視認した際に見栄えを良くすることができるとともに、濾過手段用プラグおよび濾過手段用コードが露出しないため、不本意に濾過手段用プラグや濾過手段用コードを引っ掛けるのを防止することもできる。
【００１６】
前項［５］の発明によると、前項１〜４に記載の観賞魚水槽用コンセント装置を水槽装置に備えたため、当該水槽装置について、上述した観賞魚水槽コンセント装置の効果を奏することができる。
【図面の簡単な説明】
【００１７】
【図１】図１は、本発明の一実施形態にかかる水槽装置を示す斜視図である。
【図２】図２は、本発明の一実施形態にかかる水槽装置を示す平面図である。
【図３】図３は、本発明の一実施形態にかかる水槽装置を示す側面図である。
【図４】図４は、本発明の一実施形態にかかる水槽装置を示す背面図である。
【図５】図５は、本発明の一実施形態にかかる水槽装置を示すＹ−Ｙ断面図である。
【図６】図６は、本発明の一実施形態にかかる水槽装置を示すＸ−Ｘ断面図である。
【発明を実施するための形態】
【００１８】
次に、本発明の一実施形態について図１〜図６を参照して説明する。図１は、本発明の一実施形態にかかる水槽装置を示す斜視図である。図２は、本発明の一実施形態にかかる水槽装置を示す平面図である。図３は、本発明の一実施形態にかかる水槽装置を示す側面図である。図４は、本発明の一実施形態にかかる水槽装置を示す背面図である。図５は、本発明の一実施形態にかかる水槽装置を示すＹ−Ｙ断面図である。図６は、本発明の一実施形態にかかる水槽装置を示すＸ−Ｘ断面図である。
【００１９】
図１〜図６に示すように、本発明の一実施形態にかかる水槽装置Ａは、設置予定床に敷設される台座５と、台座５の上部に載置される水槽４と、水槽４に隣接配置され、台座５の上部に載置される観賞魚水槽コンセント装置１とを備えている。
【００２０】
台座５の上面には、係合凹部５１が形成されている。台座５の背面には、コンセント１４に接続されたコンセント用コード１４ｂを挿通するガイド挿入孔５２が形成されている。
【００２１】
観賞魚水槽コンセント装置１は、箱体１０と、照明手段２０と、濾過手段３０とを備えている。
【００２２】
箱体１０は、上方に開口部１１が形成され、箱体１０の背面の下方には、コンセント１４の抜き差しを操作する操作窓１２が形成されている。操作窓１２には、覆い被さる操作窓用カバー１３が着脱自在に取り付けられる。また、箱体１０の下面には、台座５の係合凹部５１と係合する係合凸部１５が形成されている。
【００２３】
箱体１０の内部は、前方に倒れるように傾いている支持壁１６が形成されている。この支持壁１６には、コンセント１４が嵌め込まれる開口部１６ａが設けられている。また、支持壁１６の上方には、コンセント１４の上方を覆う庇部１７が支持壁１６と一体形成されている。この庇部１７は、水平方向に延びるように形成されている。
【００２４】
支持壁１６の開口部１６ａにはコンセント１４が嵌め込まれている。このコンセント１４は、プラグの栓刃が斜め上向きに挿し込まれるように栓刃挿入孔１４ａが斜め下向きに開口するように配置さている。また、コンセント１４には、プラグの栓刃が挿入される栓刃挿入孔１４ａが２口形成されており、このコンセント１４は、隣り合うように２個配置されている。
【００２５】
コンセント１４の基端には、コンセント用コード１４ｂが接続され、コンセント用コード１４ｂの先端にはコンセント用プラグ１４ｃが接続されている。コンセント用コード１４ｂは、支持壁１６の内部側を通り、そのままガイド挿入孔５２を通り箱体１０の外に出され、このコンセント用コード１４ｂの先端に接続されたコンセント用プラグ１４ｃは、該水槽装置Ａが設置される部屋のコンセント（図示せず）に挿し込まれる。
【００２６】
照明手段２０は、水槽４の上方にせり出すように形成された照明部２１と、照明部２１の下方に複数配置され、水槽４に向かって照射する光源２２と、照明手段２０の基端側に形成され、箱体１０の開口部１１と連結する連結部２５とを備えている。照明手段２０は、連結部２５が箱体１０の開口部１１と連結することで箱体１０に支持される。照明手段２０には、先端に照明手段用プラグ２３が接続された照明手段用コード２４が接続されている。光源２２としては、ＬＥＤ、有機ＥＬランプ、無電極ランプ、白熱電球、ハロゲンランプ、蛍光ランプ、放電ランプ等を用いることができる。
【００２７】
濾過手段３０は、水槽４に貯められた水を濾過室３３に流入する流入管３１と、流入管３１から吸い上げた水を濾過する濾過室３３と、濾過室３３で清浄された水を水槽４に流出する流出管３２とを備えている。濾過室３３は箱体１０内に収納され、濾過室３３に連結された流入管３１と流出管３２は、水槽４の側壁を跨ぐように水槽４内に配置されている。濾過手段３０は、先端に濾過手段用プラグ３４が接続された濾過手段用コード３５が接続されている。濾過手段３０は、水槽４の水を濾過するものであり、投入式濾過器、壁掛式濾過器、上部濾過器、外部濾過器、オーバーフロー式濾過器等を用いることができる。
【００２８】
次に、本発明の一実施形態にかかる水槽装置Ａの使用方法について説明する。各装置のプラグをコンセント１４に挿し込むため、まず使用者は、箱体１０の背面にある操作窓用カバー１３を取り外す。次に、使用者は、所定位置に取り付けられた照明手段２０の照明手段用コードと照明手段用プラグとを箱体１０内に収め、照明手段用プラグをコンセント１４に挿し込む。また同様に、使用者は、所定位置に取り付けられた濾過手段３０の濾過手段用コードと濾過手段用プラグとを箱体１０内に収め、濾過手段用プラグをコンセント１４に挿し込む。最後に、使用者は、操作窓用カバー１３を操作窓１２に取り付ける。このようにして各プラグをコンセント１４に挿し込む。
【００２９】
本実施形態の水槽装置は、次の利点がある。
【００３０】
すなわち、上記実施形態では、コンセント１４を箱体１０内に配置したことで、各プラグをコンセント１４に挿し込む挿込作業がしにくくなったが、操作窓１２を箱体１０に形成し、覆い被さる操作窓用カバー１３を操作窓１２に着脱自在に取り付けたことにより、挿込作業をしやすくすることができる。
【００３１】
さらに、上記実施形態では、水平方向に延びる庇部１７を支持壁１６の上方に形成したため、仮に濾過手段３０等から水が漏れた際に、漏れた水が上方からのコンセント１４内に侵入するのを防止でき、さらにいっそう確実に漏電や感電を防止することができる。
【００３２】
さらに、上記実施形態では、プラグの栓刃が斜め上向きに挿し込まれるように栓刃挿入孔１４ａが斜め下向きに開口するように、コンセントを配置したため、各プラグをコンセント１４に挿し込むと、該各プラグに接続された各コードが下方に湾曲するように垂れ下がった状態で各プラグが各コンセント１４に挿し込まれるため、水が各コードを伝って栓刃挿入孔１４ａ内に侵入することがなく、より確実に漏電や感電を防止することができる。
【００３３】
さらに、上記実施形態では、水槽４の上方にせり出すように形成された照明部２１と、照明部２１の下方に複数配置され、水槽４に向かって照射する光源２２と、照明手段２０の基端側に形成され、箱体１０の開口部１１と連結する連結部２５とを照明手段２０に備え、連結部２５を箱体１０の開口部１１と連結することで照明手段２０を箱体１０に支持し、先端に照明手段用プラグ２３が接続された照明手段用コード２４を照明手段２０に接続したため、照明手段用プラグ２３や照明手段用コード２４を箱体１０内に収納でき、より確実に外部から視認した際に見栄えを良くすることができるとともに、照明手段用プラグ２３や照明手段用コード２４が露出しないため、不本意に照明手段用コード２４等を引っ掛けるのをより確実に防止することもできる。
【００３４】
さらに、上記実施形態では、水槽４に貯められた水を濾過室３３に流入する流入管３１と、流入管３１から吸い上げた水を濾過する濾過室３３と、濾過室３３で清浄された水を水槽４に流出する流出管３２とを濾過手段３０に備え、箱体１０内に濾過室３３を収納し、濾過室３３に連結した流入管３１と流出管３２とを水槽４の側壁を跨ぐように水槽４内に配置し、先端に濾過手段用プラグ３４を接続した濾過手段用コード３５を濾過手段３０に接続したため、濾過手段用プラグ３４や濾過手段用コード３５を箱体１０内により確実に収納でき、外部から視認した際に見栄えを良くすることができるとともに、濾過手段用プラグ３４や濾過手段用コード３５が露出しないため、不本意に濾過手段用コード３５等を引っ掛けるのをより確実に防止することもできる。
【００３５】
以上、本発明を一実施形態に基づいて説明してきたが、本発明は上記実施形態に限定されるものではなく、その発明の範囲で適宜変更可能であり、たとえば以下のよるに構成しても良い。
【００３６】
（１）上記実施形態では、水槽装置Ａに照明手段２０と濾過手段３０を備えたが、本発明はこれに限定されるものではなく、たとえば照明手段２０および／または濾過手段３０に加えて（又は、照明手段２０および／または濾過手段３０に変えて）、水槽４に空気を供給する曝気手段を備え、先端に曝気手段用プラグが接続された曝気手段用コードを該曝気手段に接続しても良い。ここで、曝気手段としては、エアポンプ等を用いることができる。
【００３７】
そして、この変形実施形態について、曝気手段用プラグや曝気手段用コードを箱体１０内に収め、曝気手段用プラグをコンセント１４に電気的に接続することで、上述した観賞魚水槽コンセント装置１の効果を奏しながら、曝気手段用プラグや曝気手段用コードを箱体１０内に収納でき、外部から視認した際に見栄えを良くすることができるとともに、曝気手段用プラグや曝気手段用コードが露出しないため、不本意に曝気手段用コード等を引っ掛けるのを防止することもできる。
【００３８】
（２）上記実施形態では、水槽装置Ａに照明手段２０と濾過手段３０を備えたが、本発明はこれに限定されるものではなく、たとえば照明手段２０および／または濾過手段３０に加えて（又は、照明手段２０および／または濾過手段３０に変えて、）、水槽４に貯められた水の水温を調節する温度調節手段を備え、先端に温度調節手段用プラグが接続された温度調節手段用コードを温度調節手段に接続しても良い。ここで温度調節手段としては、加熱装置、冷却装置を採用することができる。ここで、加熱装置としては、たとえばヒーターを用いることができ、冷却装置としては、たとえばファンを用いることができる。
【００３９】
そして、この変形実施形態について、温度調節手段用プラグや温度調節手段用コードを
箱体１０内に収め、温度調節手段用プラグをコンセント１４に電気的に接続することで、上述した観賞魚水槽コンセント装置１の効果を奏しながら、温度調節手段用プラグや温度調節手段用コードを箱体１０内に収納でき、外部から視認した際に見栄えを良くすることができるとともに、温度調節手段用プラグや温度調節手段用コードが露出しないため、不本意に温度調節手段用コード等を引っ掛けるのを防止することもできる。
【００４０】
（３）上記実施形態では、プラグの栓刃が挿入される栓刃挿入孔１４ａが２口形成されたコンセント１４を隣り合うように２個配置したが、本発明はこれに限定されるものではなく、少なくとも１個以上のコンセント１４が取り付けられていれば良い。
【００４１】
また、この変形実施形態によると、少なくとも１個以上のコンセント１４を取り付けたため、その他の付属器具（たとえば照明装置、濾過器、ヒーター、ファン、エアポンプ等）を多数取り付けても、これらの観賞魚水槽用品に電力を供給することができる。
【００４２】
（４）上記実施形態では、観賞魚水槽コンセント装置１は、照明手段２０を備えるようにしたが、本発明はこれに限定されるものではなく、必ずしも照明手段２０を備える必要はない。
【００４３】
（５）上記実施形態では、観賞魚水槽コンセント装置１は、濾過手段３０を備えるようにしたが、本発明はこれに限定されるものではなく、必ずしも濾過手段３０を備える必要はない。
【符号の説明】
【００４４】
Ａ      水槽装置。
１      観賞魚水槽用コンセント装置。
１０    箱体
１４ａ  栓刃挿入孔
１４    コンセント
１７    庇部
２０    照明手段
２３    照明手段用プラグ
２４    照明手段用コード
３０    濾過手段
３４    濾過手段用プラグ
３５    濾過手段用コード
４      水槽
５      台座
【図１】
2012034639.tif 000003
【図２】
2012034639.tif 000004
【図３】
2012034639.tif 000005
【図４】
2012034639.tif 000006
【図５】
2012034639.tif 000007
【図６】
2012034639.tif 000008